(57)【要約】【課題】耐摩耗性に優れると共に切れ味がよく、長寿命の総型ロータリードレッサー及びドレッシング方法を提供する。【解決手段】砥石をドレッシングする総型ロータリードレッサー１５は、砥石と接触する外周面が、ダイヤモンド砥粒３１が分散して配置された領域と、ダイヤモンド砥粒３１が配置されないスリット領域ＳＬとを有する。スリット領域ＳＬは、回転軸Ａｘに対して傾斜して複数設けられる。スリット領域ＳＬの回転方向下流側のエッジに沿って、複数の８面体ダイヤモンド砥粒３３が、８面体のいずれか１面を外周面と平行にして配置されている。【選択図】図３
2018202594.tif 000002
【特許請求の範囲】
【請求項１】
砥石をドレッシングする総型ロータリードレッサーであって、
前記砥石と接触する外周面は、ダイヤモンド砥粒が分散して配置された領域と、前記ダイヤモンド砥粒が配置されないスリット領域とを有し、
前記スリット領域は、回転軸に対して傾斜して複数設けられ、
前記スリット領域の回転方向下流側のエッジに沿って、複数の８面体ダイヤモンド砥粒が、８面体のいずれか１面を前記外周面と平行にして配置された総型ロータリードレッサー。
【請求項２】
前記８面体ダイヤモンド砥粒は、前記エッジに沿って略等間隔で配置され、
回転方向に隣り合う一対の前記スリット領域において、一方の前記スリット領域の前記８面体ダイヤモンド砥粒の列と、他方の前記スリット領域の前記８面体ダイヤモンド砥粒の列とは、前記８面体ダイヤモンド砥粒が互いに前記回転軸方向にずれて配置されている請求項１に記載の総型ロータリードレッサー。
【請求項３】
前記ダイヤモンド砥粒は、前記外周面にスパイラル状に配列され、互いに略等間隔で配置されている請求項１又は請求項２に記載の総型ロータリードレッサー。
【請求項４】
前記ダイヤモンド砥粒は、前記回転方向の上流側と下流側で、前記回転軸方向に互いにずれて配置されている請求項１〜請求項３のいずれか一項に記載の総型ロータリードレッサー。
【請求項５】
前記ダイヤモンド砥粒は、前記８面体ダイヤモンド砥粒と、該８面体ダイヤモンド砥粒とは異なる形状のダイヤモンド砥粒とが含まれる請求項１〜請求項４のいずれか一項に記載の総型ロータリードレッサー。
【請求項６】
砥石と接触する外周面に、ダイヤモンド砥粒が分散して配置された領域と、前記ダイヤモンド砥粒が配置されないスリット領域とを有し、前記スリット領域は、回転軸に対して傾斜して複数設けられ、前記スリット領域の回転方向下流側のエッジに沿って、複数の８面体ダイヤモンド砥粒が、８面体のいずれか１面を前記外周面と平行にして配置された総型ロータリードレッサーによって、前記砥石をドレッシングするドレッシング方法。
【請求項７】
前記ダイヤモンド砥粒は、前記８面体ダイヤモンド砥粒と、該８面体ダイヤモンド砥粒とは異なる形状のダイヤモンド砥粒とが含まれる請求項６に記載のドレッシング方法。
【発明の詳細な説明】
【技術分野】
【０００１】
本発明は、総型ロータリードレッサー及びドレッシング方法に関する。
【背景技術】
【０００２】
ＣＢＮ砥石のドレッシングには、一般にダイヤモンドドレッサーが使用されている。近年の精密量産研削の分野では、高精度連続生産の観点からドレス頻度が増加する上に、タクトタイムの短縮のためドレッシング時間も短縮化が求められる。その結果、ダイヤモンドドレッサーは、寿命が短く、コストアップの要因となることが問題視されるようになった。そこで、ダイヤモンドドレッサーの耐摩耗性を向上させ、寿命を延ばす技術が開発されている。例えば、特許文献１には、ダイヤモンドドレッサーの耐摩耗性の向上を主目的として、８面体ダイヤモンド砥粒の一つの結晶面をドレッサーの外周に略平行に露呈するように植設したロータリーダイヤモンドドレッサーが開示されている。また、特許文献２には、８面体ダイヤモンド砥粒の稜線のいずれかが、砥石の相対回転速度ベクトルと略平行に露出するよう植設されたロータリーダイヤモンドドレッサーが開示されている。更に、特許文献３には、螺旋状の凹溝を埋設し、溝を除く表面に１５０個／ｃｍ２以上の密度でダイヤモンド砥粒を配置したロータリーダイヤモンドドレッサーが開示されている。
【先行技術文献】
【特許文献】
【０００３】
【特許文献１】特公昭５９−３４５号公報
【特許文献２】特公昭５９−１５５５号公報
【特許文献３】特公昭５３−１１１１２号公報
【発明の概要】
【発明が解決しようとする課題】
【０００４】
しかしながら、一般にロータリードレッサーの耐摩耗性を向上させると、ドレッサーの切れ味が低下する問題が生じる。そのため、特許文献１、２のロータリーダイヤモンドドレッサーにおいては、耐摩耗性の向上が認められても、切れ味については更なる改善が必要であった。また、特許文献３の構成では、過酷な条件下において十分な切れ味が得られない場合があり、特に８面体ダイヤモンド砥粒については一切記載も示唆もなく、８面体ダイヤモンド砥粒と凹溝等との配置関係について、何ら資するものではない。
【０００５】
本発明は、上述した事情に鑑みてなされたものであり、その目的は、優れた耐摩耗性と優れた切れ味とを両立でき、長寿命となる総型ロータリードレッサー及びドレッシング方法を提供することにある。
【課題を解決するための手段】
【０００６】
本発明は、下記構成からなる。
（１）  砥石をドレッシングする総型ロータリードレッサーであって、
前記砥石と接触する外周面は、ダイヤモンド砥粒が分散して配置された領域と、前記ダイヤモンド砥粒が配置されないスリット領域とを有し、
前記スリット領域は、回転軸に対して傾斜して複数設けられ、
前記スリット領域の回転方向下流側のエッジに沿って、複数の８面体ダイヤモンド砥粒が、８面体のいずれか１面を前記外周面と平行にして配置された総型ロータリードレッサー。
（２）  砥石と接触する外周面に、ダイヤモンド砥粒が分散して配置された領域と、前記ダイヤモンド砥粒が配置されないスリット領域とを有し、前記スリット領域は、回転軸に対して傾斜して複数設けられ、前記スリット領域の回転方向下流側のエッジに沿って、複数の８面体ダイヤモンド砥粒が、８面体のいずれか１面を前記外周面と平行にして配置された総型ロータリードレッサーによって、前記砥石をドレッシングするドレッシング方法。
【発明の効果】
【０００７】
本発明によれば、総型ロータリードレッサーを、優れた耐摩耗性と優れた切れ味とを両立させ、長寿命にできる。
【図面の簡単な説明】
【０００８】
【図１】（Ａ）は研削装置の加工位置を示す概略的な部分構成図、（Ｂ）は研削装置のドレッシング位置を示す概略的な部分構成図である。
【図２】総型ロータリードレッサーの一部断面図である。
【図３】砥粒が配置された焼結金属部の溝部の模式的な平面展開図である。
【図４】８面体ダイヤモンド砥粒の斜視図である。
【図５】図１（Ｂ）に示す砥石とロータリードレッサーの模式的なＶ−Ｖ線断面図である。
【図６】総型ロータリードレッサーの一例を示す模式的な斜視図である。
【発明を実施するための形態】
【０００９】
以下、本発明の実施形態について、図面を参照して詳細に説明する。
本発明の総型ロータリードレッサーは、ここでは玉軸受の軌道輪における軌道面を研削加工する砥石をドレッシングする場合を例に説明するが、この用途に限定されるものではない。なお、以下の説明では「ドレッシング」とは「ツルーイング」を含めた意味とする。
【００１０】
図１（Ａ）は研削装置１００の加工位置を示す概略的な部分構成図、（Ｂ）は研削装置１００のドレッシング位置を示す概略的な部分構成図である。
研削装置１００は、チャック１１と、砥石１９と、砥石１９を移動及び回転駆動するクイル１３と、砥石１９をドレッシングする総型ロータリードレッサー１５と、を備える。本構成の研削装置１００においては、砥石１９により玉軸受の外輪軌道面を研削加工する場合を示している。
【００１１】
チャック１１は、被加工物である玉軸受外輪１７が取り付けられ、玉軸受外輪１７を図１（Ａ）に示す加工位置で回転駆動する。クイル１３は、溝加工用の砥石１９を回転駆動可能に軸支し、この砥石１９を、上記の加工位置と、図１（Ｂ）に示す総型ロータリードレッサー１５によるドレッシング位置とに移動可能に構成される。
【００１２】
総型ロータリードレッサー１５は、回転軸Ａｘが砥石１９の回転軸線と平行にされ、砥石１９の研削面１９ａに接触可能な位置で軸支される。総型ロータリードレッサー１５の支持軸２０は、図示しない駆動源に接続された駆動ベルト２１によりプーリ２３を介して回転駆動される。この他にも、総型ロータリードレッサー１５は、モータにより直接駆動される方式や、ギアを介して駆動される方式等、種々の駆動方式で回転駆動する構成であってもよい。
【００１３】
図１（Ａ）に示す加工位置に配置された砥石１９は、クイル１３の駆動によって回転しつつ、玉軸受外輪１７に向かって径方向の切込みＤ１が与えられ、玉軸受外輪１７の軌道面１７ａを研削する。これにより、砥石１９の外周面形状が軌道面１７ａに転写される。研削終了後、砥石１９を径方向に退避させ、チャック１１から加工後の玉軸受外輪１７を取り外す。また、チャック１１に次の玉軸受外輪を取り付けて、再び軌道面の研削を実施する。
【００１４】
所定回数の研削を実施した後は、図１（Ｂ）に示すように、クイル１３の駆動によって、砥石１９を矢印Ｄ２方向に向けて、総型ロータリードレッサー１５によるドレッシング位置まで移動させる。そして、総型ロータリードレッサー１５に向けて砥石１９を径方向に移動させる。すると、総型ロータリードレッサー１５の外周面に砥石１９の外周面が接触して、互いに回転しながら砥石１９がドレッシングされる。なお、総型ロータリードレッサー１５と砥石１９の回転方向は同方向であってもよく、反対方向であってもよい。また、総型ロータリードレッサー１５と砥石１９の回転速度等は、条件に応じて適宜選定される。
【００１５】
図２は総型ロータリードレッサー１５の一部断面図である。
総型ロータリードレッサー１５は、支持軸２０と、ＷＣ（炭化タングステン）からなる焼結金属部２５と、を有する。焼結金属部２５は、支持軸２０の芯金２０ａの外周に設けられ、大径部２７の軸方向中央に曲率半径Ｒの溝部２９が全周にわたって形成される。
【００１６】
焼結金属部２５の少なくとも溝部２９の表面、つまり、総型ロータリードレッサー１５における砥石１９（図１参照）と接触する外周面には、ダイヤモンドからなる多数の砥粒が植設される。砥粒は、焼結金属部２５の焼結前に焼結金属部２５の外表面に埋め込まれ、焼結によって一体化される。なお、砥粒の形状は、必要に応じて、焼結後に焼結金属部２５の表面を機械加工することで整えられる。
【００１７】
図３は砥粒が配置された焼結金属部２５の溝部２９の模式的な平面展開図である。なお、図３に示す砥粒の配列ピッチや配列方向は一例であって、本構成の総型ロータリードレッサー１５はこの配置パターンに限らない。
【００１８】
上記砥粒としては、多数の一般的なダイヤモンド砥粒３１と、８面体構造を有する８面体ダイヤモンド砥粒３３（オクタヘドロンダイヤモンド、以下、オクタダイヤモンド砥粒と呼称する）と、が含まれる。以下、ダイヤモンド砥粒３１とオクタダイヤモンド砥粒３３とを区別して説明する。即ち、ダイヤモンド砥粒３１にはオクタダイヤモンド砥粒３３が含まれないものとする。
【００１９】
ダイヤモンド砥粒３１は、ダイヤモンド工具等に使用される合成ダイヤモンドや金属被覆合成ダイヤモンド等の、広く一般的に使用されるダイヤモンド砥粒である。
【００２０】
オクタダイヤモンド砥粒３３は、図４に示すように、上記の一般的なダイヤモンド砥粒３１とは異なる８面体のダイヤモンドである。このオクタダイヤモンド砥粒３３は、（１１１）面となるダイヤモンド結晶面の中でも最も硬い８個の正三角形の面３７を有するダイヤモンドである。８面体の中でもその稜線３９に平行な方向は、最も硬い方向とされている。
【００２１】
図３に示す砥粒の配置パターンにおいては、焼結金属部２５の外周面上にダイヤモンド砥粒３１及びオクタダイヤモンド砥粒３３が分散して配置される。ダイヤモンド砥粒３１の配置された領域では、ダイヤモンド砥粒３１が、総型ロータリードレッサー１５の回転軸Ａｘに対して角度αで傾斜する傾斜線Ｌａ（１）上で、回転軸Ａｘ方向にピッチＰ１で略等間隔に配列される。
【００２２】
上記の傾斜線Ｌａ（１）に沿ったダイヤモンド砥粒３１の配列は、回転方向に間隔ｔａを有して複数列が同様にして設けられる。つまり、ダイヤモンド砥粒３１は、傾斜線Ｌａ（１）〜Ｌａ（ｎ）［ｎは整数］のそれぞれに沿って、複数個が互いに等間隔で配置される。各傾斜線Ｌａ（１）〜Ｌａ（ｎ）は、図３に示す焼結金属部２５の外周面の平面展開図上において、複数条の螺旋が並んで配置されたスパイラル状となっている。各ダイヤモンド砥粒３１をスパイラル状に配列することで、ドレッシング時における砥石１９に負荷される荷重を低減でき、振動防止効果が得られる。
【００２３】
複数の傾斜線Ｌａ（１）〜Ｌａ（ｎ）のうち回転方向に隣り合う傾斜線同士のダイヤモンド砥粒３１は、回転軸方向のピッチＰ１が互いにずれて配置される（図示例では一例として、ピッチＰ１の１／２のずれとして示す）。これにより、ドレッシング時におけるダイヤモンド砥粒３１の実質的な配置のピッチを、一列分のピッチＰ１よりも短くできる。よって、形状転写の精度を向上でき、転写後の砥石は、安定した曲面形状の研削加工が可能になる。
【００２４】
更に、総型ロータリードレッサー１５の外周面には、ダイヤモンド砥粒３１及びオクタダイヤモンド砥粒３３が配置されないスリット領域ＳＬが、傾斜線Ｌａ（１）〜Ｌａ（ｎ）と平行に、回転方向に沿って複数箇所に設けられる。スリット領域ＳＬは、回転方向に所定のスリット幅を有して設けられる。このスリット領域ＳＬは、単にダイヤモンド砥粒３１及びオクタダイヤモンド砥粒３３を配置しない外周面で構成されてもよく、所定の幅及び深さを有する溝で構成されていてもよい。
【００２５】
複数のオクタダイヤモンド砥粒３３は、各スリット領域ＳＬの回転方向下流側のエッジに沿って設けられる。各オクタダイヤモンド砥粒３３は、回転軸Ａｘ方向に関して、前述したダイヤモンド砥粒３１のピッチＰ１と同程度のピッチＰ２で略等間隔に配置される。また、オクタダイヤモンド砥粒３３は、８面体の８面のうち、いずれかの１面が、砥石１９との接触面となる外周面と平行に配置される。そして、傾斜線Ｌａ（１）〜Ｌａ（ｎ）を跨いで回転方向に隣り合うオクタダイヤモンド砥粒３３同士は、回転軸Ａｘ方向に互いにずれて配置される（図示例では一例として、ピッチＰ２の１／２のずれとして示す）。
【００２６】
オクタダイヤモンド砥粒３３の列Ｌｂは、列Ｌｂの回転方向下流側に配置されるダイヤモンド砥粒３１の列である傾斜線Ｌａ（１）との間に、回転方向の間隔ｔｂを有して設けられる。この間隔ｔｂは、前述の傾斜線Ｌａ（１）〜Ｌａ（ｎ）の各間隔ｔａと略等しくてもよく、異なっていてもよい。上記のように、ダイヤモンド砥粒３１とオクタダイヤモンド砥粒３３とは、総型ロータリードレッサー１５外周面の、スリット領域ＳＬを除く砥粒配置領域で、相互に間隔を有して離散配置される。
【００２７】
ここで、ダイヤモンド砥粒３１及びオクタダイヤモンド砥粒３３の傾斜線毎の回転軸方向に関するずれ量は、ドレッシング対象の砥石の材質や形状によって個々に設定される。また、スパイラル方向の角度αは、主に目標とするドレッサーの切削性に応じて決定される。つまり、間隔ｔａ，ｔｂ、ピッチＰ１，Ｐ２、角度α等の各種パラメータは、ドレッシング時において、ダイヤモンド砥粒３１やオクタダイヤモンド砥粒３３が砥石表面に接触する確率（接触回数）を、回転軸方向に関して略同一となるようにそれぞれ設定される。更に、切削性とコスト等も考慮して設定される。
【００２８】
図５は図１に示す砥石１９と総型ロータリードレッサー１５の模式的なＶ−Ｖ線断面図である。
上記したように、総型ロータリードレッサー１５の砥石１９と接触する外周面には、スリット領域ＳＬ、オクタダイヤモンド砥粒３３、ダイヤモンド砥粒３１が反回転方向に沿ってこの順序で配置される。したがって、総型ロータリードレッサー１５は、スリット領域ＳＬ、オクタダイヤモンド砥粒３３、ダイヤモンド砥粒３１が、この順で砥石１９と接触する。上記の関係は、回転軸方向のいずれの位置であっても同じである。
【００２９】
図６は上記構成の総型ロータリードレッサーの一例を示す模式的な外観図である。総型ロータリードレッサー１５は、多数のダイヤモンド砥粒３１及びオクタダイヤモンド砥粒３３が分散して配置された砥粒配置領域と、各砥粒３１，３３が配置されないスリット領域ＳＬとを有する。スリット領域ＳＬの回転方向下流側のエッジには、オクタダイヤモンド砥粒３３が配置される。砥粒配置領域のオクタダイヤモンド砥粒３３の配置領域以外には、通常のダイヤモンド砥粒３１が配置される。
【００３０】
オクタダイヤモンド砥粒３３は、総型ロータリードレッサー１５の回転方向が摩耗し難い方向になるように、最も硬い正三角形の面３７（図４参照）を、総型ロータリードレッサー１５の外周面と平行に配置している。また、オクタダイヤモンド砥粒３３の一つの稜線３９を、スリット領域ＳＬと平行に配置してもよい。この配置によれば、オクタダイヤモンド砥粒３３をスリット領域ＳＬに接近させて配置できるので、小径のドレッサーであっても、多くのダイヤモンド砥粒を配置できる。また、オクタダイヤモンド砥粒３３の最も硬いダイヤモンド結晶面により砥石をドレッシングするため、総型ロータリードレッサー１５の耐摩耗性が向上し、寿命が長くなる。
【００３１】
また、スリット領域ＳＬをオクタダイヤモンド砥粒３３の回転方向上流側に配置することで、ドレッシング点へのクーラントの供給を促進できる。また、これと共に、ドレッシングにより脱落した砥粒をスリット領域ＳＬから排出させた後に、オクタダイヤモンド砥粒３３を砥石に当接させることができる。このため、オクタダイヤモンド砥粒３３は、脱落砥粒等の不要物の影響を受けることなく砥石をドレッシングできる。更にその後、ダイヤモンド砥粒３１が砥石に当接してドレッシングすることになる。よって、まず、オクタダイヤモンド砥粒３３により砥石表面を荒く潰して成形し、次いで、ダイヤモンド砥粒３１により砥石表面を精密に仕上げ成形する、という理想的なドレス工程を実現できる。
【００３２】
上記の通り、ダイヤモンド砥粒３１とオクタダイヤモンド砥粒３３とをスパイラル配置することで、ドレッシング抵抗を低減させ、且つドレッシング精度を向上できる。また、ダイヤモンド砥粒３１とオクタダイヤモンド砥粒３３とを併用することで耐摩耗性を向上できる。その場合の各砥粒の併用による切れ味の低下を、スリット領域ＳＬを設けることで回避している。そして、総型ロータリードレッサー１５表面の特定の部位（スリット領域ＳＬの回転方向下流側のエッジ）にのみ、オクタダイヤモンド砥粒３３が配置される。これにより、ドレッサー表面における砥粒配置領域の全体にオクタダイヤモンド砥粒３３を配置する場合と比較して、所望の加工精度を維持しつつ、ドレッサーの製造工数や材料コストが抑えられる。また、ドレッシングのランニングコストも低減できる。これにより、耐摩耗性と切れ味とのドレッシング性能を両立でき、振動が少なく、長寿命で且つ高精度なドレッシングが実施できる総型ロータリードレッサーが実現できる。
【００３３】
本発明は上記の実施形態に限定されるものではなく、実施形態の各構成を相互に組み合わせることや、明細書の記載、並びに周知の技術に基づいて、当業者が変更、応用することも本発明の予定するところであり、保護を求める範囲に含まれる。
【実施例】
【００３４】
ここで、図６に示す総型ロータリードレッサーを用い、また、従来品として、オクタダイヤモンド砥粒やスリット領域ＳＬを有さない一般的なＣＢＮ砥石用のダイヤモンドロータリードレッサーを用い、表１に示す試験条件でロータリードレッサーの寿命試験を行った。
【００３５】
【表１】
2018202594.tif 000003
【００３６】
表１に示すように、直径２７．０ｍｍの新しい砥石を用意し、この砥石をドレッシングして過大寸法に調整した。ワークを研削した後、１μｍずつ２０回のドレッシング（１ドレッシング当たり直径で４０μｍ）を施し、砥石の直径が過小寸法になったときを砥石の寿命とした。なお、切込み動作を完了した状態の保持時間であるドレススパークアウト（ドレスＳ．Ｏ）は０．５ｓｅｃとした。
【００３７】
なお、過大寸法と過小寸法との差（７．２ｍｍ）を４等分（１．８ｍｍ）して、スキップ１（２６．７ｍｍ〜２４．９ｍｍ）、スキップ２（２４．９ｍｍ〜２３．１ｍｍ）スキップ３（２３．１ｍｍ〜２１．３ｍｍ）、及びスキップ４（２１．３ｍｍ〜１９．５ｍｍ）を設定した。即ち、１回のドレッシングでドレッサーの直径が４０μｍ小さくなるので、４５回のドレッシングで１つのスキップが終了する（４０μｍ×４５＝１．８ｍｍ）。
【００３８】
ドレッシング後のワークの生産数は、スキップ１で４００個、スキップ２で３００個、スキップ３で２００個、スキップ４で１５０個とした。
【００３９】
ここで、ドレッシングされた砥石によりワークを研削すると、ドレッサーが摩耗している場合には砥石が正しく成形されず、ワーク形状（溝形状、溝寸法）が許容範囲から外れる。そこで、生産されたワークのワーク形状を測定し、ドレッシング後でもワーク形状が許容範囲に入らなくなったときを総型ロータリードレッサーの寿命とした。
【００４０】
上記の試験結果を表２及び表３に示す。
【００４１】
【表２】
2018202594.tif 000004
【００４２】
【表３】
2018202594.tif 000005
【００４３】
本実施形態の総型ロータリードレッサーでは、表２に示すように、総型ロータリードレッサーが寿命に至るまでのワーク生産個数は、５回の試験結果における平均値で４４５千個であった。これに対して、従来品の総型ロータリードレッサーでは、９回の試験における平均値が２８９千個であり、本発明の総型ロータリードレッサーの寿命が約１．５倍長くなることを確認できた。
【００４４】
以上の通り、本明細書には次の事項が開示されている。
（１）  砥石をドレッシングする総型ロータリードレッサーであって、
前記砥石と接触する外周面は、ダイヤモンド砥粒が分散して配置された領域と、前記ダイヤモンド砥粒が配置されないスリット領域とを有し、
前記スリット領域は、回転軸に対して傾斜して複数設けられ、
前記スリット領域の回転方向下流側のエッジに沿って、複数の８面体ダイヤモンド砥粒が、８面体のいずれか１面を前記外周面と平行にして配置された総型ロータリードレッサー。
この総型ロータリードレッサーによれば、ダイヤモンド砥粒が配置されないスリット領域を回転軸に対して傾斜させて複数設けると共に、スリット領域の回転方向下流側のエッジに沿って複数のオクタダイヤモンド砥粒の１面が、砥石と接触する外周面と平行に配置される。これにより、オクタダイヤモンド砥粒の最も硬いダイヤモンド結晶面で砥石がドレッシングされる。そのため、総型ロータリードレッサーの耐摩耗性の向上が図れると共に、スリット領域に供給されるクーラントにより、脱落した砥粒の排出を促進して総型ロータリードレッサーの切れ味を長期間に亘って維持できる。
【００４５】
（２）  前記８面体ダイヤモンド砥粒は、前記エッジに沿って略等間隔で配置され、
回転方向に隣り合う一対の前記スリット領域において、一方の前記スリット領域の前記８面体ダイヤモンド砥粒の列と、他方の前記スリット領域の前記８面体ダイヤモンド砥粒の列とは、前記８面体ダイヤモンド砥粒が互いに前記回転軸方向にずれて配置されている（１）に記載の総型ロータリードレッサー。
この総型ロータリードレッサーによれば、少ない数の８面体ダイヤモンド砥粒によって、砥石の全面を高い形状転写精度でドレッシングできる。
【００４６】
（３）  前記ダイヤモンド砥粒は、前記外周面にスパイラル状に配列され、互いに略等間隔で配置されている（１）又は（２）の総型ロータリードレッサー。
この総型ロータリードレッサーによれば、ダイヤモンド砥粒が外周面にスパイラル状に配列されているので、ドレッシング時に砥石に負荷される荷重を低減して、振動の発生を防止できる。
【００４７】
（４）  前記ダイヤモンド砥粒は、前記回転方向の上流側と下流側で、前記回転軸方向に互いにずれて配置されている（１）〜（３）のいずれか一つの総型ロータリードレッサー。
この総型ロータリードレッサーによれば、砥石の全面を高精度にドレッシングできる。
【００４８】
（５）  前記ダイヤモンド砥粒は、前記８面体ダイヤモンド砥粒と、該８面体ダイヤモンド砥粒とは異なる形状のダイヤモンド砥粒とが含まれる（１）〜（４）のいずれか一項に記載の総型ロータリードレッサー。
この総型ロータリードレッサーによれば、特定の部位にのみ８面体ダイヤモンド砥粒を設ける構成であるため、所望の加工精度を維持しつつ、ドレッサーの製造工数や材料コストが抑えられる。
【００４９】
（６）  砥石と接触する外周面に、ダイヤモンド砥粒が分散して配置された領域と、前記ダイヤモンド砥粒が配置されないスリット領域とを有し、前記スリット領域は、回転軸に対して傾斜して複数設けられ、前記スリット領域の回転方向下流側のエッジに沿って、複数の８面体ダイヤモンド砥粒が、８面体のいずれか１面を前記外周面と平行にして配置された総型ロータリードレッサーによって、前記砥石をドレッシングするドレッシング方法。
このドレッシング方法によれば、８面体ダイヤモンド砥粒の最も硬いダイヤモンド結晶面で砥石をドレッシングするため、総型ロータリードレッサーの耐摩耗性の向上が図れると共に、スリットに供給されるクーラントにより、脱落した砥粒の排出を促進して総型ロータリードレッサーの切れ味を長期間に亘って維持できる。
【００５０】
（７）  前記ダイヤモンド砥粒は、前記８面体ダイヤモンド砥粒と、該８面体ダイヤモンド砥粒とは異なる形状のダイヤモンド砥粒とが含まれる（６）に記載のドレッシング方法。
このドレッシング方法によれば、特定の部位にのみ８面体ダイヤモンド砥粒を設けた総型ロータリードレッサーを用いることで、加工精度を維持しつつ、ドレッサーのランニングコストを低減できる。
【符号の説明】
【００５１】
１５  総型ロータリードレッサー
１９  砥石
３１  ダイヤモンド砥粒
３３  オクタダイヤモンド砥粒（８面体ダイヤモンド砥粒）
Ａｘ  回転軸
ＳＬ  スリット領域
Ｐ１  ダイヤモンド砥粒のピッチ
Ｐ２  オクタダイヤモンド砥粒のピッチ
【図１】
2018202594.tif 000006
【図２】
2018202594.tif 000007
【図３】
2018202594.tif 000008
【図４】
2018202594.tif 000009
【図５】
2018202594.tif 000010
【図６】
2018202594.tif 000011